【手続補正書】
【提出日】平成20年8月28日(2008.8.28)
【手続補正１】
【補正対象書類名】明細書
【補正対象項目名】特許請求の範囲
【補正方法】変更
【補正の内容】
【特許請求の範囲】
【請求項１】
入力操作機能を有して任意の情報を処理する一以上の情報処理装置と、
少なくとも、上記情報処理装置から転送される情報に基づいて映像を表示する表示装置と、
上記情報処理装置から入力操作指示に基づいて上記表示装置における表示処理を含むネットワーク情報処理を支援する情報処理支援装置と、
上記情報処理支援装置と上記情報処理装置とを接続する通信手段と、
上記情報処理装置から転送される情報以外の少なくとも映像または音声を入力する動画  音声入力装置と、
上記情報処理装置および上記動画・音声入力装置から転送される複数の情報を所定の時間軸に合わせてそれぞれ記録し、この複数の情報に基づいて視聴可能なコンテンツを作成する情報作成装置とを備えるネットワーク情報処理システム。
【請求項２】
上記情報作成装置で生成されたコンテンツを編集して新たなコンテンツを生成する情報加工装置を更に備える請求項１に記載のネットワーク情報処理システム。
【請求項３】
上記加工装置は、上記情報作成装置および上記情報処理装置により構成される請求項２に記載のネットワーク情報処理システム。
【請求項４】
複数の情報入力装置から転送される複数の情報を所定の時間軸に合わせてそれぞれ記録する記録ステップと、
上記記録ステップで記録された複数の情報から視聴可能なコンテンツを生成する生成ステップと備える情報処理方法。
【請求項５】
上記生成ステップで生成された上記コンテンツは、ネットワークを介して視聴可能なコンテンツである請求項４に記載の情報処理方法。
【請求項６】
上記複数の情報は、少なくとも動画または音声およびこれに同期する静止画の情報を含む請求項４に記載の情報処理方法。
【請求項７】
上記静止画の情報は、圧縮した画像ファイルである請求項６に記載の情報処理方法。
【請求項８】
上記複数の情報は、上記情報処理装置から転送されるテキスト情報を含む請求項６に記載の情報処理方法。
【請求項９】
上記生成ステップは、上記生成されたコンテンツを編集して新たなコンテンツを生成する加工ステップを含む請求項４に記載の情報処理方法。
【請求項１０】
上記加工ステップでは編集画面を用いて上記コンテンツの編集を行うものであり、
上記編集画面は、少なくとも、上記複数の情報をそれぞれ時間軸に沿って表示帯で表していると共に、上記時間軸と直交する方向に延び、上記時間軸に沿って移動し、現行時間を示すカレントタイムラインを表示している請求項９に記載の情報処理方法。
【請求項１１】
上記複数の情報は、少なくとも動画または音声およびこれを同期する静止画の情報を含み、
上記静止画の情報を表す表示帯は、各静止画の表示開始から表示終了までの表示期間に対応した帯部分が他の部分と異なる表示状態となっており、各帯部分に対応する静止画のサムネイルを有している請求項１０に記載の情報処理方法。
【請求項１２】
上記編集画面は、上記カレントタイムラインで示される現行時間に対応する上記動画の情報による動画を表示する動画表示領域および上記現行時間に対応する上記静止画の情報による静止画を表示する静止画表示領域を有している請求項１０に記載の情報処理方法。
【請求項１３】
上記加工ステップでは、少なくとも動画または音声およびこれに同期する静止画を含む上記複数の情報を、上記時間軸をベースに一括してカットするカット編集を行う請求項１０に記載の情報処理方法。
【請求項１４】
上記生成ステップでは、予め登録された複数のテンプレートから上記複数の情報に応じた一のテンプレートを選定し、該一のテンプレートに対応して上記コンテンツを生成する請求項４に記載の情報処理方法。
【請求項１５】
上記テンプレートは、少なくとも動画を表示する動画再生部と、静止画を表示する静止画再生部とを有する請求項１４に記載の情報処理方法。
【請求項１６】
上記複数の情報は、少なくとも動画または音声およびこれに同期する静止画の情報を含み、
上記生成ステップでは、上記静止画の情報の系列数に応じて上記一のテンプレートを選定する請求項１４に記載の情報処理方法。
【手続補正２】
【補正対象書類名】明細書
【補正対象項目名】０００４
【補正方法】変更
【補正の内容】
【０００４】
【課題を解決するための手段】
この発明に係るネットワーク情報処理システムは、入力操作機能を有して任意の情報を処理する一以上の情報処理装置と、少なくとも、上記情報処理装置から転送される情報に基づいて映像を表示する表示装置と、情報処理装置から入力操作指示に基づいて上記表示装置における表示装置を含むネットワーク情報処理を支援する情報処理支援装置と、情報処理支援装置と上記情報処理装置とを接続する通信手段と、情報処理装置から転送される情報以外の少なくとも映像または音声を入力する動画・音声入力装置と、情報処理装置および動画・音声入力装置から転送される複数の情報を所定の時間軸に合わせてそれぞれ記録し、この複数の情報に基づいて視聴可能なコンテンツを生成する情報作成装置とを備えるものである。
【手続補正３】
【補正対象書類名】明細書
【補正対象項目名】０００７
【補正方法】変更
【補正の内容】
【０００７】
また、この発明においては、生成されたコンテンツを編集して新たなコンテンツを生成する。例えば、編集画面を用いてコンテンツの編集を行うものである。編集画面は、少なくとも、複数の情報をそれぞれ時間軸に沿った表示帯で表していると共に、時間軸と直交する方向に延び、時間軸に沿って移動し、現行時間を示すカレントタイムラインを表示している。そして例えば、複数の情報が少なくとも動画または音声およびこれに同期する静止画の情報を含む場合、静止画の情報を表す表示帯は各静止画の表示開始から表示終了までの表示期間の部分が他の部分と異なる表示状態となっており、各表示期間の部分に対応する静止画のサムネイルを有している。
このように、編集画面には複数の情報がそれぞれ時間軸に沿った表示帯にサムネイル等を使用して時系列にビジブルに表示されているので、複数の情報の前後関係を容易に把握でき、カット等の編集が容易となる。
【手続補正４】
【補正対象書類名】明細書
【補正対象項目名】００１２
【補正方法】変更
【補正の内容】
【００１２】
このネットワーク電子会議システム１００には、さらに、会議室の模様を映像および音声として記録し、さらにその会議で使用したプレゼンテーション資料を記録して、会議の議事録（会議コンテンツ）を作成する情報作成装置（以下、「クリエータ（Creator）」という）１がＬＡＮによって結ばれている。クリエータ１には動画入力装置としてのビデオカメラ５ａと、音声入力装置としてのマイク５ｂが接続されている。この動画・音声入力装置５はこの例ではクリエータ１に直接接続され、そしてクライアントＰＣ２からの指示に従ってその動作モードが制御できるように構成されている。
【手続補正５】
【補正対象書類名】明細書
【補正対象項目名】００２４
【補正方法】変更
【補正の内容】
【００２４】
基本画面５０ａの上部側には、電子会議システムに接続されている機器のアイコンが表示される。図ではクリエータ１のアイコン丸付き数字「１」、コミュニケータ３のアイコン丸付き数字「２」などが表示されている。また図では符号は付されていないが、動画・音声入力装置５用のアイコンも表示されている。
基本画面５０ａの下部側はファイルのリスト欄として使用され、ここにはプレゼンターとして機能するクライアントＰＣ２に蓄積されているファイル名丸付き数字「３」が表示されている。
【手続補正６】
【補正対象書類名】明細書
【補正対象項目名】００２６
【補正方法】変更
【補正の内容】
【００２６】
コントロール画面５０ｃは、その最上部が映像表示部となされ、ここにビデオカメラ５ａで撮像された映像が動画として表示される。その中央部は帯状の表示エリアであって、ファンクションキーを含む複数のソフトキー操作部であり、その最下部が題名などの入力部となされている。ソフトキー操作部には、RECキー丸付き数字「４」、STOPキー丸付き数字「５」、PAUSEキー丸付き数字「６」の他に、記録中重要な映像個所にマークをつけるためのMARKキー丸付き数字「７」、メモ画面を開くためのMEMOキー丸付き数字「８」およびプロジェクタ４に表示されている静止画情報（プレゼンテーション資料）を保存するためのCAPTUREキー丸付き数字「９」などが表示されている。
クライアントＰＣ２からコミュニケータ３にログオンすると、その表示画面上には基本画面５０ａのみが表示される。ファイルリスト丸付き数字「３」中のファイルをコミュニケータ３のアイコンにDrug＆Dropすることで、そのファイルデータ（プレゼンテーション資料）がコミュニケータ３に転送され、プロジェクタ４に表示されてプレゼンテーションすることができる。ただし、これはプレゼンターの資格を得たクライアントＰＣ２側で操作した場合である。
【手続補正７】
【補正対象書類名】明細書
【補正対象項目名】００２７
【補正方法】変更
【補正の内容】
【００２７】
基本画面５０ａのAttendeeボタンを押すと、図４のようにその右側に参加者画面５０ｂが表示される。
そして、クリエータアイコンを右クリックすると、図５に示すようなメニュー画面が表示され、そのメニュー画面の中から「コントロール」を選択すると、図４に示すコントロール画面５０ｃが表示される。コントロール画面の中からMEMOキー丸付き数字「８」を操作すると、図４の画面位置にメモ画面５０ｄが表示され、ここに文章などを入力できる。メモ画面５０ｄは４〜６行分のスペースがとられている。
【手続補正８】
【補正対象書類名】明細書
【補正対象項目名】００２９
【補正方法】変更
【補正の内容】
【００２９】
図６はこの画面の表示例を示す。この画面には、クリエータ１内に保存されているコンテンツリスト丸付き数字「１」が表示される他、選択されたコンテンツリストに対する動作モード選択用のソフトキーが表示される。実施の形態では、選択されたコンテンツを再生するReviewキー丸付き数字「２」、選択されたコンテンツをクライアントＰＣ２に転送するクライアント転送キー（Download to My Computerキー）丸付き数字「３」、選択されたコンテンツをサーバに転送するサーバ転送キー（Upload to Serverキー）丸付き数字「４」、選択されたコンテンツの詳細情報を見るための詳細キー（Show Contents Informationキー）丸付き数字「５」、選択されたコンテンツを消去するためのDeleteキー丸付き数字「６」などが表示されている。
【手続補正９】
【補正対象書類名】明細書
【補正対象項目名】００３５
【補正方法】変更
【補正の内容】
【００３５】
ステップＳ２で、会議参加者がクリエータ１の操作画面であるコントロール（CONTROL）画面５０ｃを開くと、そのクライアントだけが記録者クライアントＰＣとなる（図４参照）。
クライアントＰＣ２のGUI画面上で、クリエータ１のアイコン丸付き数字「１」（図４参照）を右クリックし、表示されたメニューから「コントロール」を選択すると、コントロール画面５０ｃが表示される（図４参照）。
【手続補正１０】
【補正対象書類名】明細書
【補正対象項目名】００３６
【補正方法】変更
【補正の内容】
【００３６】
ステップＳ３で、コントロール画面のRECキー丸付き数字「４」(図４）を押すと、動画・音声入力装置５が起動されて会議の映像記録を開始する。
また、コントロール画面５０ｃでMEMOキー丸付き数字「８」（図４）を押すと、図４のようなメモ画面５０ｄが開きテキストの入力が可能になる。SENDキーを押すと、入力したテキストがクリエータ１内に取り込まれる。
【手続補正１１】
【補正対象書類名】明細書
【補正対象項目名】００３７
【補正方法】変更
【補正の内容】
【００３７】
ステップＳ４で、クライアントＰＣ２のファイルリスト丸付き数字「３」からプレゼンテーション資料を表示したいプロジェクタ４のアイコン丸付き数字「２」にドラッグ＆ドロップすると、プロジェクタ４の画面上にファイルリストで選択されたプレゼンテーション資料が表示される。これと同時にこのプレゼンテーション資料およびページ切り替え情報などがクリエータ１内のハードディスクに保存される。
【手続補正１２】
【補正対象書類名】明細書
【補正対象項目名】００３８
【補正方法】変更
【補正の内容】
【００３８】
ステップＳ５で、記録を終了する時は、コントロール画面でSTOPキー丸付き数字「５」を押す。その際、記録者側クライアントＰＣ２には図１０に示すような保存確認画面が表示される。保存処理以外はその内容が消去される。保存操作を行うと、ステップＳ６で会議コンテンツが自動的に生成される。つまり、このステップＳ６では、コミュニケータ３からの静止画情報と動画・音声入力装置５からの動画・音声情報を基に会議コンテンツが生成される。この会議コンテンツはインターネットのようなネットワークを介して参照できるようにするため、ファイルデータはHTML変換される。
【手続補正１３】
【補正対象書類名】明細書
【補正対象項目名】００４２
【補正方法】変更
【補正の内容】
【００４２】
この表示パターンはテンプレート化されており、プロジェクタの使用台数に応じてテンプレート化された表示パターン（テンプレート１〜３）が選択される。図１１はテンプレート３の表示パターンの場合であり、プロジェクタが３台使用されたときの表示例である。静止画Ｐ１はプロジェクタ４ａで表示された資料丸付き数字「５」であり、同様に静止画Ｐ２、Ｐ３はプロジェクタ４ｂ、４ｃを用いて表示された資料丸付き数字「５」である。コンテンツ再生時には時間経過に合わせてこの静止画再生部６０ｂに表示される資料丸付き数字「５」が自動的に切り替わる。テンプレート１および２の表示パターンの詳細は後述する。
【手続補正１４】
【補正対象書類名】明細書
【補正対象項目名】００４３
【補正方法】変更
【補正の内容】
【００４３】
動画再生部６０ａには、上述した映像が表示される他に、その映像表示部の真下にはView切り替え部丸付き数字「１」が表示される。そしてその下側の表示部丸付き数字「２」は２段に分かれ、プロジェクタで表示したプレゼンテーション資料が最大６枚までサムネイル表示される。複数台のプロジェクタを使用しているときは選択された１台のプロジェクタに表示された資料がサムネイル表示される。
任意のサムネイルを選択すると、上に表示された動画もこれに同期して、そのサムネイルが表示された時間までシフトし、その時間からノーマル再生される。
【手続補正１５】
【補正対象書類名】明細書
【補正対象項目名】００４４
【補正方法】変更
【補正の内容】
【００４４】
このサムネイル表示丸付き数字「２」に代えて上述したマーク表示丸付き数字「４」に切り替えることができる。サムネイル表示とマーク表示の切り替えはView切り替え部丸付き数字「１」で選択する。
会議中にコントロール画面５０ｃのMARKキー丸付き数字「７」を押した順に、編集処理時に付された題名(題名が無い場合は「Untitled」になる)と時間が表示される。そしてマーク表示欄丸付き数字「４」の題名をマウスでクリックすると、上に表示された動画もこれに同期してその時間までシフトして、ノーマル再生となる。これによって常に動画と静止画（プレゼンテーション資料）との同期が取られて表示されることになる。
再生時には時間経過に合わせて表示がそれぞれ切り替わる。
上述した静止画再生部６０ｂの各表示画面の下側には、画面の拡大表示ボタン丸付き数字「６」があり、これが選択されたときには表示されている静止画が、最大表示パターンに切り替えて表示（オリジナルサイズ表示）される。
【手続補正１６】
【補正対象書類名】明細書
【補正対象項目名】００４７
【補正方法】変更
【補正の内容】
【００４７】
以下同様に、ステップＳ２４でメモに関する属性情報（テキストファイル）であると確認したときには、その旨の情報を再生管理リストに記述し（ステップＳ２０）、またpower pointで作成されたファイルに関する属性情報であるときにはその旨を示す情報を記述する（ステップＳ２５，Ｓ２０）。
入力した情報がこれら情報の何れでもないときには、その属性情報が表示の終了を示す情報であるかを判別し、表示終了情報であるときには、同じく再生管理リストにその情報を記述する（ステップＳ２６，Ｓ２０）。
【手続補正１７】
【補正対象書類名】明細書
【補正対象項目名】００４８
【補正方法】変更
【補正の内容】
【００４８】
さて、図１２のステップＳ２３〜Ｓ２６で属性情報の判別が終了し、続いて静止画情報そのものの種別を判断するステップに遷移する。図１３を参照して説明する。
まずステップＳ２７で転送された静止画情報が静止画ファイルであるときには対応するフォルダーに保存する（ステップＳ２８）。
電子会議システムの中でプロジェクタ４が３台使用されていたときには、プロジェクタ４ａで使用された資料（静止画ファイル）はＰ１フォルダーへ、プロジェクタ４ｂで使用された資料（静止画ファイル）であるときはＰ２フォルダーへ、そしてプロジェクタ４ｃで使用された資料（静止画ファイル）はＰ３フォルダーにそれぞれコピーされる。
【手続補正１８】
【補正対象書類名】明細書
【補正対象項目名】００５０
【補正方法】変更
【補正の内容】
【００５０】
次に、ステップＳ２９でメモファイルであると判断されたときには、このメモファイルをメモフォルダーに保存する（ステップＳ３０）。転送された静止画情報がPowerPointファイルであるときには、ステップＳ３２でこのPowerPointファイルを画像圧縮する。圧縮形式としてはインターネットなどのネットワークで多用されている例えばJPEG形式を利用できる。JPEGファイルに変換した新しいファイルに対してはユニークな名前を付けた上でイメージフォルダーに保存する（ステップＳ３３）。ステップＳ３２で圧縮処理待ちのときには、待ち行列に一時的に保存しておくことになる。
以上のような属性情報の監視と、静止画情報の種別を判別しながら特定のフォルダーに保存する処理を、コミュニケータ３から情報が入力するタイミングで繰り返される（ステップＳ２２）。
【手続補正１９】
【補正対象書類名】明細書
【補正対象項目名】００５４
【補正方法】変更
【補正の内容】
【００５４】
図１６はコンテンツ生成時のフローチャートである。クリエータ１側の記録を終了させるときは、コントロール画面でSTOPキー丸付き数字「５」を押す。記録終了と同時にコンテンツ生成処理がスタートし、まずPower Pointファイルがあるときには、このファイルのJPEGファイル変換終了を確認する（ステップＳ４０）。
ファイル変換の終了を待って、ステップＳ４１でイメージフォルダーから必要なJPEGデータのみ対応するＰ１フォルダ〜Ｐ３フォルダーにコピーする。同じプロジェクタを使用しているときはJPEG変換ファイルも同じフォルダーにコピーするためである。
【手続補正２０】
【補正対象書類名】明細書
【補正対象項目名】００６１
【補正方法】変更
【補正の内容】
【００６１】
その後、ステップＳ６５で再生時間を監視し、動画または音声の再生が最後ではないときには（ステップＳ６６）、図２２に示すようにその再生時間に一致する静止画情報（HTML形式にファイルデータ）が存在するかどうかを確認する（ステップＳ６８）。
動画などの再生時間に一致するファイルデータがある場合で、それが静止画ファイルであるときには、該当する時間の静止画ファイルを指定された表示エリアに表示する（ステップＳ６９，Ｓ７０）。そのファイルデータがテキストファイル（メモ情報）であるときには、該当する時間にメモの表示エリアに表示する（ステップＳ７１，Ｓ７２）。
【手続補正２１】
【補正対象書類名】明細書
【補正対象項目名】００６４
【補正方法】変更
【補正の内容】
【００６４】
図２３は、本発明のコンテンツ編集ソフトウエアの編集画面７０を示している。図２３に示すように、画面の左上の部分には選択されたコンテンツのタイトル等基本情報が表示されている。画面の右上の部分は静止画表示領域丸付き数字「５」である。中部は動画表示領域丸付き数字「３」である。また、画面の下部は、記録された動画、静止画およびメモを時間軸に沿ってそれぞれ並べている編集領域丸付き数字「６」である。
【手続補正２２】
【補正対象書類名】明細書
【補正対象項目名】００６５
【補正方法】変更
【補正の内容】
【００６５】
図中の丸付き数字「１」は、時間軸である。画面に表示する時間軸の単位を１、２、５，１０，１５、３０，６０の各分に変更でき、その単位内に入らない部分はスクロールバーにて検索して表示させることができる。
図中の丸付き数字「２」は、カレントタイムラインであり、現行の時間を示す。このタイムラインを元に、静止画の挿入、動画の再生、静止画の表示が行われる。また、タイムラインで動画の位置、静止画の表示タイミングを確認しながら、カットイン点、カットアウト点をビジブルに指定して、動画と静止画のカット＆マージを行う。
図中の丸付き数字「３」は、カレントタイムに対する動画を表示する動画表示領域である。
図中の丸付き数字「４」は、表示対象静止画のサムネイルである。
図中の丸付き数字「５」は、静止画表示領域であり、カレントタイムに対する静止画が表示される。
【手続補正２３】
【補正対象書類名】明細書
【補正対象項目名】００６６
【補正方法】変更
【補正の内容】
【００６６】
編集領域丸付き数字「６」では、時間軸に沿って、動画または音声の情報を表す表示帯、静止画を表す表示帯およびメモを表す表示帯を並べている。静止画の表示帯はその静止画の表示時間に対応した帯部分が他の部分と異なる状態となっており、この帯部分に対応する静止画のサムネイル丸付き数字「４」が表示されている。また、メモの表示帯はそのメモの表示時間に対応した帯部分が他の部分と異なる状態となっており、この帯部分に対応するメモのアイコンが表示されている。また、この静止画またはメモの帯部分の右端をつまんで動かすことにより、帯部分の長さ変更でき、表示時間の変更が可能である。
【手続補正２４】
【補正対象書類名】明細書
【補正対象項目名】００６７
【補正方法】変更
【補正の内容】
【００６７】
以下、図２４に参照しながら、コンテンツの一括カット編集について説明する。図２４は、コンテンツの一括カット編集のフローチャートである。
クリエータ１で生成されたコンテンツを一括カットによって編集処理する場合、まず、ステップＳ１０１で、編集ソフトウエアを起動する。次に、ステップＳ１０２で、編集しようとするコンテンツを選択する。選択されたコンテンツがステップＳ１０３で編集ソフトウエアの編集画面に表示される（図２３参照）。
【手続補正２５】
【補正対象書類名】明細書
【補正対象項目名】００６８
【補正方法】変更
【補正の内容】
【００６８】
次に、ステップＳ１０４で、タイムラインを移動しながら、タイムラインで動画の位置、静止画の表示タイミングを確認し、カットしようとする個所を選択する。
次に、ステップＳ１０５で、タイムラインを基に、カットイン点を指定する。（図２５参照）
次に、ステップＳ１０６で、タイムラインをカット範囲の終端に移動する。
次に、ステップＳ１０７で、タイムラインを基に、カットアウト点を指定する。（図２５参照）
次に、ステップＳ１０８で、指定された時間の間（図２５のＡの範囲）の動画、静止画およびメモを一括カットする。
次に、ステップＳ１０９で、カット後、コンテンツの表示タイミングがずれないように、コンテンツ内容を自動的に統合する。
次に、ステップＳ１１０で、統合後のコンテンツを保存して、編集を終了する。
これによって、記録された不必要な内容が削除される。
【手続補正２６】
【補正対象書類名】明細書
【補正対象項目名】００６９
【補正方法】変更
【補正の内容】
【００６９】
以下、コンテンツの静止画挿入編集について説明する。図２６は、静止画挿入のフローチャートである。
クリエータ１で生成されたコンテンツに静止画を挿入する場合、まず、ステップＳ１２１で、編集ソフトウエアを起動する。次に、ステップＳ１２２で、編集しようとするコンテンツを選択する。選択されたコンテンツがステップＳ１２３で編集ソフトウエアの編集画面に表示される（図２３参照）。
【手続補正２７】
【補正対象書類名】明細書
【補正対象項目名】００７０
【補正方法】変更
【補正の内容】
【００７０】
次に、ステップＳ１２４で、タイムラインを移動しながら、タイムラインで動画の位置、静止画の表示タイミングを確認し、挿入しようとする個所を選択する。
次に、ステップＳ１２５で、静止画を挿入したい時間にカレントタイムライン（図２７の丸付き数字「１」参照）を合わせ、挿入点を指定する。
次に、ステップＳ１２６で、タイムライン上でマウスの右ボタンをクリックし、サブウインドウを表示する（図２７参照）。表示されるサブウインドウのFile  importを選ぶ。
次に、ステップＳ１２７で、挿入したいファイルを選択すると（図２７の丸付き数字「２」参照）、選択されたファイルが指定された位置に挿入される。挿入後の状態は、図２８に示している。
【手続補正２８】
【補正対象書類名】明細書
【補正対象項目名】００７１
【補正方法】変更
【補正の内容】
【００７１】
次に、ステップＳ１２８で、挿入後、コンテンツの表示タイミングがずれないように、上述した再生管理リストのようにデータの統合管理を自動的に行う。
次に、ステップＳ１２９で、統合後のコンテンツを保存して、編集を終了する。
これによって、指定したタイミングに挿入したい静止画が挿入される。
なお、静止画を削除する場合は、タイムラインを移動しながら、削除した静止画を選択して、マウスの右ボタンのクリックで静止画の削除を行うことができる。
【手続補正２９】
【補正対象書類名】明細書
【補正対象項目名】００７４
【補正方法】変更
【補正の内容】
【００７４】
また、記録を開始する際に、会議ごとにディレクトリを作成し、この下にimage、Memo、Ｐ１、Ｐ２、Ｐ３のサブディレクトリを生成し、メインコミュニケータ３ａのプロジェクタにて表示したデータはＰ１の中に、サブコミュニケータ３ｂのプロジェクタに表示したデータはＰ２の中に、サブコミュニケータ３ｃのプロジェクタに表示したデータはＰ３の中にデータを格納する（図１４参照）。
会議の記録を終了し、保存確認でＯＫを押した時点で、記録された情報データに基づいてコンテンツ生成を開始する。例えば、図１６のステップＳ４４で動画、音声共有と判断された場合、動画、音声共有のデータに対して、テンプレートの選択処理を開始する。
【手続補正３０】
【補正対象書類名】明細書
【補正対象項目名】００７５
【補正方法】変更
【補正の内容】
【００７５】
図２９は、テンプレート選択のフローチャートである。
まず、ステップＳ１４０で、使用したプロジェクタの台数をチェックする。複数でない場合）、即ち１台の場合、ステップＳ１４１で、データのサブディレクトリを確認する。Ｐ１にデータが保存されている場合、ステップＳ１４２で、テンプレート１を選択する。Ｐ１にデータが保存されていない場合、ステップＳ１４３で、Ｐ２にデータが保存されているか確認する。Ｐ２にデータが保存されている場合、ステップＳ１４４で、Ｐ２のデータをＰ１に繰り上げてから、ステップＳ１４２で、テンプレート１を選択する。また、ステップＳ１４３で、Ｐ２にデータが保存されていない場合、ステップＳ１４５で、Ｐ３のデータをＰ１に繰り上げてから、ステップＳ１４２テンプレート１を選択する。
【手続補正３１】
【補正対象書類名】明細書
【補正対象項目名】００７６
【補正方法】変更
【補正の内容】
【００７６】
また、ステップＳ１４０で、使用したプロジェクタの台数のチェック結果は複数である場合、次のステップＳ１５０で、プロジェクタの台数が２台か、或いは３台かの判定を行う。２台の場合、ステップＳ１５１で、データのサブディレクトリを確認する。Ｐ１、Ｐ２にデータが保存されている場合、ステップＳ１５２で、テンプレート２を選択する。ステップＳ１５１で、Ｐ１、Ｐ２のどれかにデータが保存されていない場合、ステップＳ１５３で、Ｐ１、Ｐ３にデータが保存されているか確認する。Ｐ１、Ｐ３にデータが保存されている場合、ステップＳ１５４で、Ｐ３のデータをＰ２に繰り上げてから、ステップＳ１５２で、テンプレート２を選択する。また、ステップＳ１５３で、Ｐ１、Ｐ３にデータが保存されていない場合、ステップＳ１５５で、Ｐ２のデータをＰ１に、Ｐ３のデータをＰ２に繰り上げてから、ステップＳ１５２で、テンプレート２を選択する。
また、ステップＳ１５０で、プロジェクタの台数の判定結果が３台であり、即ちＰ１、Ｐ２、Ｐ３にデータがあった場合、ステップＳ１５６で、テンプレート３を選択する。
【手続補正３２】
【補正対象書類名】明細書
【補正対象項目名】００７７
【補正方法】変更
【補正の内容】
【００７７】
なお、上述した編集ソフトウエアにより挿入および削除処理した場合もこのように処理することができる。
例えば、サブディレクトリＰ１、Ｐ２およびＰ３にはデータが保存されており、削除処理により編集を行った後、Ｐ２、Ｐ３のデータが削除され、Ｐ１だけデータが存在する場合、図３０に示すように、編集前はＰ１、Ｐ２およびＰ３に対応した静止画表示帯に静止画の情報があり、編集によってＰ２およびＰ３に対応した静止画表示帯に静止画の情報が削除されるため、編集後は編集内容にあわせて自動的にプロジェクタを１台使った場合のテンプレートを選択し再生する。
【手続補正３３】
【補正対象書類名】明細書
【補正対象項目名】００７８
【補正方法】変更
【補正の内容】
【００７８】
このように本実施の形態においては、ネットワーク電子会議システム１００は、クリエータ１と、クライアントＰＣ２と、コミュニケータ３と、コミュニケータ３とクライアントＰＣ２とを接続する無線LANカード２ａと、プロジェクタ４と、ビデオカメラ５ａと、マイク５ｂと、サーバ６とから構成されている。
【手続補正３４】
【補正対象書類名】明細書
【補正対象項目名】００８０
【補正方法】変更
【補正の内容】
【００８０】
また、編集画面７０には動画または音声およびこれに同期する静止画、メモの情報がそれぞれ時間軸に沿った表示帯にサムネイル等を使用して時系列にビジブルに表示されているので、複数の情報の前後関係を容易に把握でき、カット等の編集が容易となる。
また、クリエータ１では、プロジェクタ４の数、即ち静止画情報の系列数に応じてテンプレートが選定され、そのテンプレートを使用してコンテンツが生成されるので、従来のように、ホームページオーサリングソフトにて手作業でコンテンツのオーサリングを行うものに比べて、間違いなくコンテンツの生成を行うことができ、作業効率も向上したものとなる。
上述実施の形態においては、この発明をネットワーク会議システムに適用したものであるが、これに限定されるものではない。例えば、ネットワーク教育システム、ネットワークゲームシステム等にもこの発明を同様に適用できる。
【手続補正３５】
【補正対象書類名】明細書
【補正対象項目名】００８１
【補正方法】変更
【補正の内容】
【００８１】
【発明の効果】
この発明によれば、所定の時間軸に合わせて記録された複数の情報に基づいてコンテンツを作成するものであり、複数の情報を同期して表示するための時間を気にすることなく編集などを行うことができ、コンテンツの生成を効率よく行うことができる。
また、編集画面には複数の情報がそれぞれ時間軸に沿った表示帯にサムネイルなどを使用して時系列にビジブルに表示されているので、複数の情報の前後関係を容易に把握でき、カット等の編集が容易となる。
また、複数の情報に応じたテンプレートが選定され、そのテンプレートを使用してコンテンツが生成されるので、従来のように、ホームページオーサリングソフトにて手作業でコンテンツのオーサリングを行うものに比べて、間違いなくコンテンツの生成を行うことができ、作業効率も向上したものとなる。
【手続補正３６】
【補正対象書類名】図面
【補正対象項目名】図４
【補正方法】変更
【補正の内容】
【図４】
2003087727.tif 000001
【手続補正３７】
【補正対象書類名】図面
【補正対象項目名】図５
【補正方法】変更
【補正の内容】
【図５】
2003087727.tif 000002
【手続補正３８】
【補正対象書類名】図面
【補正対象項目名】図６
【補正方法】変更
【補正の内容】
【図６】
2003087727.tif 000003
【手続補正３９】
【補正対象書類名】図面
【補正対象項目名】図１１
【補正方法】変更
【補正の内容】
【図１１】
2003087727.tif 000004
【手続補正４０】
【補正対象書類名】図面
【補正対象項目名】図１８
【補正方法】変更
【補正の内容】
【図１８】
2003087727.tif 000005
【手続補正４１】
【補正対象書類名】図面
【補正対象項目名】図１９
【補正方法】変更
【補正の内容】
【図１９】
2003087727.tif 000006
【手続補正４２】
【補正対象書類名】図面
【補正対象項目名】図２０
【補正方法】変更
【補正の内容】
【図２０】
2003087727.tif 000007
【手続補正４３】
【補正対象書類名】図面
【補正対象項目名】図２３
【補正方法】変更
【補正の内容】
【図２３】
2003087727.tif 000008
【手続補正４４】
【補正対象書類名】図面
【補正対象項目名】図２４
【補正方法】変更
【補正の内容】
【図２４】
2003087727.tif 000009
【手続補正４５】
【補正対象書類名】図面
【補正対象項目名】図２５
【補正方法】変更
【補正の内容】
【図２５】
2003087727.tif 000010
【手続補正４６】
【補正対象書類名】図面
【補正対象項目名】図２６
【補正方法】変更
【補正の内容】
【図２６】
2003087727.tif 000011
【手続補正４７】
【補正対象書類名】図面
【補正対象項目名】図２７
【補正方法】変更
【補正の内容】
【図２７】
2003087727.tif 000012
【手続補正４８】
【補正対象書類名】図面
【補正対象項目名】図２８
【補正方法】変更
【補正の内容】
【図２８】
2003087727.tif 000013
【手続補正４９】
【補正対象書類名】図面
【補正対象項目名】図２９
【補正方法】変更
【補正の内容】
【図２９】
2003087727.tif 000014
【手続補正５０】
【補正対象書類名】図面
【補正対象項目名】図３０
【補正方法】変更
【補正の内容】
【図３０】
2003087727.tif 000015